(57)【特許請求の範囲】
【請求項１】
底板、左右一対の側板及び背板を備え、前面が開口して形成された収納家具であって、
前記左右一対の側板は、側板連結材を介して高さ方向を分離可能に連結された右上側板部材及び右下側板部材と、側板連結材を介して高さ方向を分離可能に連結された左上側板部材及び左下側板部材とからなり、または、側板連結材を介して高さ方向を分離可能に連結し、左右夫々で三分割以上に多分割可能とした複数の側板部材からなり、
前記背板は、中央連結材を介して高さ方向を分離可能に連結された上背板部材及び下背板部材とからなり、または、高さ方向を分離可能に連結し、三分割以上に多分割可能とした複数の背板からなり、
前記中央連結材は、前記背板の幅方向と略同じ長さの幅で形成され、当該中央連結材の右側端上方の領域に前記右上側板部材を取り付ける右上側板取付部と、右側端下方の領域に前記右下側板部材を取り付ける右下側板取付部と、左側端上方の領域に前記左上側板部材を取り付ける左上側板取付部と、左側端下方の領域に前記左下側板部材を取り付ける左下側板取付部とを備え、かつ、当該中央連結材の上端側に前記上背板部材を取り付ける上背板取付部と、下端側に前記下背板部材を取り付ける下背板取付部とを備え、前記側板を三分割以上に多分割した場合でも夫々分離された各側板部材を連結して固定するとともに、
前記収納家具において、底板、左右一対の側板及び背板に囲まれた空間を高さ方向に仕切る仕切板を設け、
当該仕切板は、仕切板連結材を介して高さ方向を分離可能に連結された上仕切板部材及び下仕切板部材とからなり、または、仕切板連結材を介して高さ方向を分離可能に連結し、三分割以上に多分割可能とした複数の仕切板部材からなり、
前記中央連結材を取付ける際は、当該上仕切板部材の背板側下端及び下仕切板部材の背板側上端を切り欠いて前記中央連結材を嵌合可能とする嵌合部を形成し、また、前記仕切板を三分割以上に多分割した場合は、当該分割した箇所の少なくともいずれか一箇所の上側の仕切板部材の背板側下端及び下側の仕切板部材の背板側上端を切り欠いて前記中央連結材を嵌合可能とする嵌合部を形成し、当該嵌合部に中央連結材が嵌合して固定されてなることを特徴とする収納家具。
【請求項２】
底板、左右一対の側板及び背板を備え、前面が開口して形成された収納家具であって、
前記左右一対の側板は、側板連結材を介して高さ方向を分離可能に連結された右上側板部材及び右下側板部材と、側板連結材を介して高さ方向を分離可能に連結された左上側板部材及び左下側板部材とからなり、または、側板連結材を介して高さ方向を分離可能に連結し、左右夫々で三分割以上に多分割可能とした複数の側板部材からなり、
前記背板は、中央連結材を介して高さ方向を分離可能に連結された上背板部材及び下背板部材とからなり、または、高さ方向を分離可能に連結し、三分割以上に多分割可能とした複数の背板からなり、
前記中央連結材は、前記背板の幅方向と略同じ長さの幅で形成され、当該中央連結材の右側端上方の領域に前記右上側板部材を取り付ける右上側板取付部と、右側端下方の領域に前記右下側板部材を取り付ける右下側板取付部と、左側端上方の領域に前記左上側板部材を取り付ける左上側板取付部と、左側端下方の領域に前記左下側板部材を取り付ける左下側板取付部とを備え、かつ、当該中央連結材の上端側に前記上背板部材を取り付ける上背板取付部と、下端側に前記下背板部材を取り付ける下背板取付部とを備え、前記側板を三分割以上に多分割した場合でも夫々分離された各側板部材を連結して固定するとともに、
前記中央連結材は、連結材を介して分離可能に連結し、ニ分割以上の多分割可能であることを特徴とする収納家具。
【請求項３】
底板、左右一対の側板及び背板を備え、前面が開口して形成された収納家具であって、
前記左右一対の側板は、側板連結材を介して高さ方向を分離可能に連結された右上側板部材及び右下側板部材と、側板連結材を介して高さ方向を分離可能に連結された左上側板部材及び左下側板部材とからなり、または、側板連結材を介して高さ方向を分離可能に連結し、左右夫々で三分割以上に多分割可能とした複数の側板部材からなり、
前記背板は、中央連結材を介して高さ方向を分離可能に連結された上背板部材及び下背板部材とからなり、または、高さ方向を分離可能に連結し、三分割以上に多分割可能とした複数の背板からなり、
前記中央連結材は、前記背板の幅方向と略同じ長さの幅で形成され、当該中央連結材の右側端上方の領域に前記右上側板部材を取り付ける右上側板取付部と、右側端下方の領域に前記右下側板部材を取り付ける右下側板取付部と、左側端上方の領域に前記左上側板部材を取り付ける左上側板取付部と、左側端下方の領域に前記左下側板部材を取り付ける左下側板取付部とを備え、かつ、当該中央連結材の上端側に前記上背板部材を取り付ける上背板取付部と、下端側に前記下背板部材を取り付ける下背板取付部とを備え、前記側板を三分割以上に多分割した場合でも夫々分離された各側板部材を連結して固定するとともに、
前記右上側板部材の後方側下端及び右下側板部材の後方側上端並びに左上側板部材の後方側下端及び左下側板部材の後方側上端を切り欠いて前記中央連結材を嵌合可能とする嵌合部を形成し、当該嵌合部に中央連結材が嵌合して夫々右上側板取付部、右下側板取付部、左上側板取付部及び左下側板取付部に固定されてなることを特徴とする収納家具。
【請求項４】
前記中央連結材は、前記背板の幅方向と略同じ長さの幅を有する板状に形成されてなり、
当該板状の右側端面の上方領域を右上側板取付部とし、右側端面の下方領域を右下方側板取付部とし、左側端面の上方領域を左上側板取付部とし、左側端面の下方領域を左下側板取付部として、左右両側方から前記各側板部材を取り付けて固定されてなるとともに、
前記板状の上端面及び下端面には長手方向に断面視凹状に切り欠かれた溝部が上背板取付部及び下背板取付部として形成されており、当該上背板取付部及び下背板取付部の溝部に上背板部材及び下背板部材を嵌合して固定されてなることを特徴とする請求項１乃至３のいずれかに記載の収納家具。
【請求項５】
前記開口した前面に、前記左右の一方又は両方の側板の前面側端部に回転可能に軸支された扉が設けられ、
当該扉は、扉連結材を介して高さ方向を分離可能に連結された上扉部材及び下扉部材とからなり、または、扉連結材を介して高さ方向を分離可能に連結し、三分割以上に多分割可能とした複数の扉部材とからなることを特徴とする請求項１乃至４のいずれかに記載の収納家具。
【請求項６】
底板及び左右一対の側板を備え、前面及び後面が開口して形成された収納家具であって、
前記左右一対の側板は、側板連結材を介して高さ方向を分離可能に連結された右上側板部材及び右下側板部材と、側板連結材を介して高さ方向を分離可能に連結された左上側板部材及び左下側板部材とからなり、または、側板連結材を介して高さ方向を分離可能に連結し、左右夫々で三分割以上に多分割可能とした複数の側板部材からなり、
右側端上方の領域に前記右上側板部材を取り付ける右上側板取付部と、右側端下方の領域に前記右下側板部材を取り付ける右下側板取付部と、左側端上方の領域に前記左上側板部材を取り付ける左上側板取付部と、左側端下方の領域に前記左下側板部材を取り付ける左下側板取付部とを備え、前記左右一対の側板間の幅方向と略同じ長さの幅で形成された中央連結材を、前記側板を三分割以上に多分割した場合でも夫々分離された各側板部材を連結して固定するとともに、
前記収納家具において、底板及び左右一対の側板に囲まれた空間を高さ方向に仕切る仕切板を設け、
当該仕切板は、仕切板連結材を介して高さ方向を分離可能に連結された上仕切板部材及び下仕切板部材とからなり、または、仕切板連結材を介して高さ方向を分離可能に連結し、三分割以上に多分割可能とした複数の仕切板部材からなり、
前記中央連結材を取付ける際は、当該上仕切板部材の後方側下端及び下仕切板部材の後方側上端を切り欠いて前記中央連結材を嵌合可能とする嵌合部を形成し、また、前記仕切板を三分割以上に多分割した場合は、当該分割した箇所の少なくともいずれか一箇所の上側の仕切板部材の後方側下端及び下側の仕切板部材の後方側上端を切り欠いて前記中央連結材を嵌合可能とする嵌合部を形成し、当該嵌合部に中央連結材が嵌合して固定されてなることを特徴とする収納家具。
【請求項７】
底板及び左右一対の側板を備え、前面及び後面が開口して形成された収納家具であって、
前記左右一対の側板は、側板連結材を介して高さ方向を分離可能に連結された右上側板部材及び右下側板部材と、側板連結材を介して高さ方向を分離可能に連結された左上側板部材及び左下側板部材とからなり、または、側板連結材を介して高さ方向を分離可能に連結し、左右夫々で三分割以上に多分割可能とした複数の側板部材からなり、
右側端上方の領域に前記右上側板部材を取り付ける右上側板取付部と、右側端下方の領域に前記右下側板部材を取り付ける右下側板取付部と、左側端上方の領域に前記左上側板部材を取り付ける左上側板取付部と、左側端下方の領域に前記左下側板部材を取り付ける左下側板取付部とを備え、前記左右一対の側板間の幅方向と略同じ長さの幅で形成された中央連結材を、前記側板を三分割以上に多分割した場合でも夫々分離された各側板部材を連結して固定するとともに、
前記右上側板部材の後方側下端及び右下側板部材の後方側上端並びに左上側板部材の後方側下端及び左下側板部材の後方側上端を切り欠いて前記中央連結材を嵌合可能とする嵌合部を形成し、当該嵌合部に中央連結材が嵌合して夫々右上側板取付部、右下側板取付部、左上側板取付部及び左下側板取付部に固定されてなることを特徴とする収納家具。
【請求項８】
底板及び左右一対の側板を備え、前面及び後面が開口して形成された収納家具であって、
前記左右一対の側板は、側板連結材を介して高さ方向を分離可能に連結された右上側板部材及び右下側板部材と、側板連結材を介して高さ方向を分離可能に連結された左上側板部材及び左下側板部材とからなり、または、側板連結材を介して高さ方向を分離可能に連結し、左右夫々で三分割以上に多分割可能とした複数の側板部材からなり、
右側端上方の領域に前記右上側板部材を取り付ける右上側板取付部と、右側端下方の領域に前記右下側板部材を取り付ける右下側板取付部と、左側端上方の領域に前記左上側板部材を取り付ける左上側板取付部と、左側端下方の領域に前記左下側板部材を取り付ける左下側板取付部とを備え、前記左右一対の側板間の幅方向と略同じ長さの幅で形成された中央連結材を、前記側板を三分割以上に多分割した場合でも夫々分離された各側板部材を連結して固定するとともに、
前記中央連結材は、連結材を介して分離可能に連結し、ニ分割以上の多分割可能であることを特徴とする収納家具。
【請求項９】
前記中央連結材は、前記左右一対の側板間の幅方向と略同じ長さの幅を有する板状に形成されてなり、
当該板状の右側端面の上方領域を右上側板取付部とし、右側端面の下方領域を右下方側板取付部とし、左側端面の上方領域を左上側板取付部とし、左側端面の下方領域を左下側板取付部として、左右両側方から前記各側板部材を取り付けて固定されてなることを特徴とする請求項６乃至８に記載の収納家具。
【発明の詳細な説明】
【技術分野】
【０００１】
本発明は、分離して効率的に運搬できる上、収納スペース全体を有効に利用可能な収納家具に関する。
【背景技術】
【０００２】
ロッカー又は書棚等の比較的大きな収納家具を購入時又は引越し等で運搬する際、該収納家具をそのまま運搬するには運送業者等であっても手間が掛かり、また、狭い玄関から室内へ搬入できない等、運搬作業を容易かつ効率的に行えない。また、該収納家具の天板、側板、棚板、背板又は底板等の各部材を夫々に分離し、該部材を梱包することによって運搬することもあるが、比較的大きな収納家具においては、該部材のうち特に側板及び背板、又は、扉がある場合は扉が他の部材に比べて丈長になってしまい、同一梱包内に収めるには非効率であるという問題があった。そんな中、以下のような収納家具が提供されている。
【０００３】
例えば、下段の収納棚の上面に上段の収納棚を載置して組み立てる収納家具が開示されている。（特許文献１）。
【０００４】
また、側板及び背板が上下の二段に分割され、補強用桟を介してジョイント金具により上下二段に分割された側板及び背板が連結されたノックダウン式タンスが開示されている（特許文献２）。
【先行技術文献】
【特許文献】
【０００５】
【特許文献１】実登３０６２６６２号公報
【特許文献２】実開昭６３−１７２３４０号公報
【発明の概要】
【発明が解決しようとする課題】
【０００６】
しかしながら、特許文献１に記載の技術では、収納棚が上下二段に分割されているため、前記比較的大きな収納家具と比べて運搬は容易であるが、下段の収納家具の天板と上段の収納スペースの底板とが仕切りとなって上下段の収納棚全体の収納スペースが区切られてしまい、上段収納棚の底板及び下段収納棚の天板によって強度は確保できるものの、コート等を吊り下げて収納する等、当該収納スペース全体を有効に利用することができないという問題があった。
【０００７】
また、特許文献２に記載の技術では、前記特許文献１のように上下二段を仕切るものがなく収納スペース全体を有効に利用することが可能であるが、左右の補強用桟を介してのみ上下段を連結するのは、複数のコート等を吊り下げた際に強度上の問題が生じ得るとともに、地震等の揺れにも弱いと推察され、また、二段吊用パイプを前記補強用桟に取り付けた際には当該上下段の連結箇所の強度向上に寄与させることは可能であるものの、当該二段吊用パイプによって収納スペースが上下段で遮られるため、収納スペース全体を有効に利用することができないという問題があった。
【０００８】
そこで、本発明は、分離して効率的に運搬できる上、収納スペース全体を有効に利用可能であるとともに、強度にも優れた収納家具を提供することを課題とした。
【課題を解決するための手段】
【０００９】
上記課題を解決するために、本発明は次のように構成した。すなわち、本発明に係る収納家具は、底板、左右一対の側板及び背板を備え、前面が開口して形成された収納家具であって、前記左右一対の側板は、側板連結材を介して高さ方向を分離可能に連結された右上側板部材及び右下側板部材と、側板連結材を介して高さ方向を分離可能に連結された左上側板部材及び左下側板部材とからなり、または、側板連結材を 介して高さ方向を分離可能に連結し、左右夫々で三分割以上に多分割可能とした複数の側板部材からなり、前記背板は、中央連結材を介して高さ方向を分離可能に連結された上背板部材及び下背板部材とからなり、または、高さ方向を分離可能に連結し、三分割以上に多分割可能とした複数の背板からなり、前記中央連結材は、前記背板の幅方向と略同じ長さの幅で形成され、当該中央連結材の右側端上方の領域に前記右上側板部材を取り付ける右上側板取付部と、右側端下方の領域に前記右下側板部材を取り付ける右下側板取付部と、左側端上方の領域に前記左上側板部材を取り付ける左上側板取付部と、左側端下方の領域に前記左下側板部材を取り付ける左下側板取付部とを備え、かつ、当該中央連結材の上端側に前記上背板部材を取り付ける上背板取付部と、下端側に前記下背板部材を取り付ける下背板取付部とを備え、前記側板を三分割以上に多分割した場合でも夫々分離された各 側板部材を連結して固定することを特徴としている。
【００１０】
また、好ましくは、前記中央連結材が、前記背板の幅方向と略同じ長さの幅を有する板状に形成されてなり、当該板状の右側端面の上方領域を右上側板取付部とし、右側端面の下方領域を右下方側板取付部とし、左側端面の上方領域を左上側板取付部とし、左側端面の下方領域を左下側板取付部として、左右両側方から前記各側板部材を取り付けて固定されてなるとともに、前記板状の上端面及び下端面には長手方向に断面視凹状に切り欠かれた溝部が上背板取付部及び下背板取付部として形成されており、当該上背板取付部及び下背板取付部の溝部に上背板部材及び下背板部材を嵌合して固定されてなることを特徴としている。
【００１１】
また、好ましくは、前記収納家具において、底板、左右一対の側板及び背板に囲まれた空間を高さ方向に仕切る仕切板を設けるとともに、当該仕切板は、仕切板連結材を介して高さ方向を分離可能に連結された上仕切板部材及び下仕切板部材とからなり、または、仕切板連結材を介して高さ方向を分離可能に連結し、三分割以上に多分割可能とした複数の仕切板部材からなり、前記中央連結材を取付ける際は、当該上仕切板部材の背板側下端及び下仕切板部材の背板側上端を切り欠いて前記中央連結材を嵌合可能とする嵌合部を形成し、また、前記仕切板を三分割以上に多分割した場合は、当該分割した箇所の少なくともいずれか一箇所の上側の仕切板部材の背板側下端及び下側の仕切板部材の背板側上端を切り欠いて前記中央連結材を嵌合可能とする嵌合部を形成し、当該嵌合部に中央連結材が嵌合して固定されてなることを特徴としている。
【００１２】
また、好ましくは、前記開口した前面に、前記左右の一方又は両方の側板の前面側端部に回転可能に軸支された扉が設けられ、当該扉は、扉連結材を介して高さ方向を分離可能に連結された上扉部材及び下扉部材とからなり、または、扉連結材を介して高さ方向を分離可能に連結し、三分割以上に多分割可能とした複数の扉部材とからなることを特徴としている。
【００１３】
また、好ましくは、前記中央連結材は、連結材を介して分離可能に連結し、ニ分割以上の多分割可能であることを特徴としている。
【００１４】
また、本発明に係る収納家具は、底板及び左右一対の側板を備え、前面及び後面が開口して形成された収納家具であって、前記左右一対の側板は、側板連結材を介して高さ方向を分離可能に連結された右上側板部材及び右下側板部材と、側板連結材を介して高さ方向を分離可能に連結された左上側板部材及び左下側板部材とからなり、または、側板連結材を介して高さ方向を分離可能に連結し、左右夫々で三分割以上に多分割可能とした複数の側板部材からなり、右側端上方の領域に前記右上側板部材を取り付ける右上側板取付部と、右側端下方の領域に前記右下側板部材を取り付ける右下側板取付部と、左側端上方の領域に前記左上側板部材を取り付ける左上側板取付部と、左側端下方の領域に前記左下側板部材を取り付ける左下側板取付部とを備え、前記左右一対の側板間の幅方向と略同じ長さの幅で形成された中央連結材を、前記側板を三分割以上に多分割した場合でも夫々分離された各側板部材を連結して固定してなることを特徴としている。
【００１５】
また、好ましくは、前記中央連結材が、前記左右一対の側板間の幅方向と略同じ長さの幅を有する板状に形成されてなり、当該板状の右側端面の上方領域を右上側板取付部とし、右側端面の下方領域を右下方側板取付部とし、左側端面の上方領域を左上側板取付部とし、左側端面の下方領域を左下側板取付部として、左右両側方から前記各側板部材を取り付けて固定されてなることを特徴としている。
【００１６】
また、好ましくは、前記収納家具において、底板及び左右一対の側板に囲まれた空間を高さ方向に仕切る仕切板を設けるとともに、当該仕切板は、仕切板連結材を介して高さ方向を分離可能に連結された上仕切板部材及び下仕切板部材とからなり、前記中央連結材を取付ける際は、当該上仕切板部材の後方側下端及び下仕切板部材の後方側上端を切り欠いて前記中央連結材を嵌合可能とする嵌合部を形成し、また、前記仕切板を三分割以上に多分割した場合は、当該分割した箇所の少なくともいずれか一箇所の上側の仕切板部材の後方側下端及び下側の仕切板部材の後方側上端を切り欠いて前記中央連結材を嵌合可能とする嵌合部を形成し、当該嵌合部に中央連結材が嵌合して固定されてなることを特徴としている。
【００１７】
また、好ましくは、前記右上側板部材の後方側下端及び右下側板部材の後方側上端並びに左上側板部材の後方側下端及び左下側板部材の後方側上端を切り欠いて前記中央連結材を嵌合可能とする嵌合部を形成し、当該嵌合部に中央連結材が嵌合して夫々右上側板取付部、右下側板取付部、左上側板取付部及び左下側板取付部に固定されてなることを特徴としている。
【００１８】
さらに、好ましくは、前記中央連結材は、連結材を介して分離可能に連結し、ニ分割以上の多分割可能であることを特徴としている。
【発明の効果】
【００１９】
本発明に係る収納家具によれば、当該収納家具を構成する側板及び背板を分離解体することができるため、収納家具を構成するその他部材と同一梱包が可能となって容易に運搬することができ、梱包及び運搬の作業効率を向上させることができる。また、収納家具を分離可能に形成した上で、収納スペース全体を有効利用することができるとともに、前記中央連結材を核として、右上側板部材、右下側板部材、左上側板部材及び左下側板部材並びに上背板部材及び下背板部材を取り付けて固定するため、側板及び背板を分離可能でありながら十分に強度を確保することができる。
【００２０】
また、前記中央連結材を板状に形成したことにより、その側端面全体を利用して側板を取り付けて固定することができ、また、その上下端面全体を利用して溝部を形成し、背板を嵌合して固定することができるため、より強固に収納家具を組み立てることができる。さらに、中央連結材を板状に形成したことにより、その上下に配される背板と外観上違和感なく美観性にも優れている。
【００２１】
また、収納スペースに高さ方向に仕切板を設けた場合であっても、当該仕切板を分離可能に連結することにより梱包及び運搬を容易にでき、作業効率を向上させることができる。また、中央連結材を前記仕切板に形成された嵌合部に嵌合して固定することにより、収納家具の強度の向上を図ることができる。
【００２２】
また、扉を設けた収納家具においても、当該扉を分離可能に連結することにより梱包及び運搬を容易にでき、作業効率を向上させることができる。
【００２３】
また、本発明に係る収納家具によれば、前記請求項１に記載の収納家具の効果のほか、背板を設けずとも中央連結材を核として右上側板部材、右下側板部材、左上側板部材及び左下側板部材を取り付けて固定することにより十分な強度を確保することができる。
【００２４】
また、背板を設けずとも、前記中央連結材を板状に形成したことにより、当該中央連結材を核としてその側端面全体を利用して側板を取り付けて固定することができるため、十分な強度を確保することができる。
【００２５】
また、中央連結材を核として右上側板部材、右下側板部材、左上側板部材及び左下側板部材を取り付けて固定し、かつ、中央連結材を前記仕切板に形成された嵌合部に嵌合して固定することにより、背板を設けずとも十分な強度を確保することができる。
【００２６】
また、前記左右一対の側板に設けられた嵌合部に嵌め込んで中央連結材を固定できるため、当該中央連結材の取付け位置の位置決めを容易に行うことができ、作業効率を向上させることができる。
【００２７】
さらに、前記収納家具の左右の側板、背板、仕切板及び扉を三分割以上に多分割可能としたことにより、また、中央連結材を二分割以上に多分割可能としたことにより、より一層、また、当該収納家具のサイズが大きくなっても、梱包及び運搬を容易にでき、作業効率を向上させることができる。
【図面の簡単な説明】
【００２８】
【図１】本発明に係る収納家具の構造を示す外観斜視図である。
【図２】中央連結材を示す拡大図である。
【図３】中央連結材を示すＡ−Ａ線断面図である。
【図４】収納家具の使用状態を示す外観斜視図である。
【図５】書棚型の収納家具を示す外観斜視図である。
【図６】書棚型の収納家具を示す外観斜視図である。
【図７】仕切板及び中央連結材を示す拡大斜視図である。
【図８】扉付きの収納家具を示す外観斜視図である。
【図９】その他形状の中央連結材を示す拡大図である。
【図１０】その他形状の中央連結材を示す拡大図である。
【図１１】その他形状の中央連結材を示す拡大図である。
【図１２】その他実施例の収納家具を示す外観斜視図である。
【図１３】その他実施例の収納家具を示す外観斜視図である。
【図１４】その他実施例の収納家具を示す外観斜視図である。
【図１５】その他実施例の収納家具を示す外観斜視図である。
【図１６】その他中央連結材の取付状態を示す外観斜視図である。
【図１７】その他中央連結材の取付状態を示す外観斜視図である。
【発明を実施するための形態】
【００２９】
以下、図面に基づいて本発明を具体的に説明する。まず、図１は、本発明に係る収納家具１の構造を示す外観斜視図である。なお、ここで、収納家具１とは、衣類を収納するタンス、ワードローブ、ロッカー、又は、書籍やビデオテープやＤＶＤ等を収納する書棚やラック、飾り棚、靴棚、その他前面を開口した箱状の収納棚等を含むものであり、第一実施例としては、衣類を収納するロッカー型の収納家具１について説明する。
【００３０】
当該ロッカー型の収納家具１は、基本的な構成として、当該収納家具１の底部に位置する底板２と、上面に位置する天板３と、左右一対に位置して夫々上下に分離してなる側板４と、背面に位置して上下に分離してなる背板５と、当該背板５を連結する中央連結材６とからなり、これらに囲まれた空間を収納スペースとし構成されている。また、底板２の下方前面には、当該収納家具１の底部を被覆する幕板７が設けられている。これら各構成要素は、分離解体した状態で運搬容易にするため、木製、合成樹脂製又は金属製で板状に形成されている。
【００３１】
前記左右一対の側板４は、右上側板部材４１ａ、右下側板部材４１ｂ、左上側板部材４２ａ及び左下側板部材４２ｂからなり、前記右上側板部材４１ａ及び右下側板部材４１ｂの右側同士を上下に側板連結材８を介して連結した右側の側板４と、また、左上側板部材４２ａ及び左下側板部材４２ｂの左側同士を上下に側板連結材８を介して連結した左側の側板４とから構成されている。
【００３２】
当該左右の側板連結部材８は、一般的な家具の組立に用いられる所謂カムロックであって、前記右上側板部材４１ａ及び左上側板部材４２ａの下端面と前記右下側板部材４１ｂ及び左下側板部材４２ｂの上端面の夫々に設けた上下位置で対向する孔にカムロックネジを挿通したのち、カムロックナットを締め付けることにより、右上側板部材４１ａ及び右下側板部材４１ｂ、そして、左上側板部材４２ａ及び左下側板部材４２ｂを夫々連結して固定する。なお、当該側板連結材８は、本発明に係る収納家具１の分離解体及び組立の作業効率に鑑み、本実施例のように所謂カムロックを用いるのが好ましいが、板状の各側板部材を分離可能に連結できれば、その他どのような側板連結材８を用いてもよい。
【００３３】
前記背板５は、上背板部材５ａ及び下背板部材５ｂを中央連結材６により分離可能に連結して形成されている。当該上背板部材５ａ及び下背板部材５ｂは、夫々通常市販されているような収納家具１にある背板と同様に木製等の板状であって、特に図示はしないが、底板２、天板３及び側板４に接する背板５の上端部又は下端部及び側端部において、当該底板２、天板３及び側板４の後方に設けられた断面視凹状の溝部に嵌合したり、ネジ留め等したりすることにより固定されている。中央連結材６による上背板部材５ａ及び下背板部材５ｂの連結については、以下、図２及び図３を用いて詳細に説明する。
【００３４】
図２は、前記中央連結材６について、前記側板４及び背板５を取り付けて固定する様子を示す拡大図である。当該中央連結材６は、前記背板５の幅方向と略同じ長さの幅で形成された板状で、その周端面に前記側板４及び背板５を取り付けて固定する。すなわち、当該中央連結材６の右側端面の上方領域を右上側板取付部６ａとして前記右上側板部材４１ａを取り付け、また、右側端面の下方領域を右下側板取付部６ｂとして右下側板部材４１ｂを取り付けるとともに、中央連結材６の左側端面の上方領域を左上側板取付部６ｃとして前記左上側板部材４２ａを取り付け、また、左側端面の下方領域を左下側板取付部６ｄとして左下側板部材４２ｂを取り付ける。これら側板４の取り付けは、ネジＸにより外側から側板４を介して中央連結材６まで貫通することにより固定して取り付けられる。なお、当該各側板４の固定はネジＸによるものに限られず、着脱可能に固定できればどのようなものであってもよい。
【００３５】
また、図３は、前記中央連結材６及び背板５を抽出して示すＡ−Ａ線断面図であり、中央連結材６の上端面及び下端面において前記上背板部材５ａ及び下背板部材５ｂを取り付ける様子を示す図である。中央連結材６は、上端面及び下端面に上背板部材５ａ及び下背板部材５ｂを取り付けるべく断面視凹状の溝部６ｅ、６ｆが当該端面の長手方向に形成されており、上端面に形成された溝部６ｅに上背板部材５ａの下端を嵌合して取り付けるとともに、下端面に形成された溝部６ｆに下背板部材５ｂの上端を嵌合して取り付けて固定する。
【００３６】
また、当該中央連結材６は、前記側板４及び背板５をより堅固に取り付けるという観点からすれば、その正面視における高さ方向の幅を可及的に広く形成するのが好ましいが、梱包及び運搬の効率性という観点から、その他各部材の大きさを越えず、その他各部材と同一梱包内に収まる程度のサイズで形成するのが好ましい。具体的には、上背板部材５ａ又は下背板部材５ｂよりも高さ方向において同一か短く形成することにより、当該上背板部材５ａ及び下背板部材５ｂと同一梱包内に梱包することができる。
【００３７】
このように形成した前記各構成要素を組立てることにより、ロッカー型の収納家具１を形成することができる。なお、底板２、天板３及び側板４の固定には、特に図示はしないが、適宜ネジＸ等を用いて固定してもよく、着脱可能に固定できればどのように固定してもよい。図４は、ロッカー型収納家具１の使用状態を示す図であって、図４（ａ）は、収納スペース全体を有効に利用している状態を示しており、図４（ｂ）は、収納スペースの高さ方向略中間に中板９を設けて二段吊りの使用状態を示している。図４（ａ）に示す収納スペースの上方には、吊り棒Ｙを設けてハンガーを吊り下げ可能とし、ロングコートを掛けることもでき、また、図４（ｂ）に示した中板９によって分離された上下段の収納スペースの各上方にも吊り棒Ｙが設けて、上下段の収納スペースに夫々衣類を掛けることも可能である。なお、当該中板９も、分離解体した状態で運搬容易にするため、木製、合成樹脂製又は金属製で板状に形成されている。
【００３８】
このように、ロッカー型の収納家具１によれば、収納スペース全体を一つの収納スペースとして有効に利用することができるとともに、或いは、選択的に中板９を設けて二段吊りの収納家具１とすることもできる。また、当該収納家具１によれば、比較的丈長な側板４及び背板５を分離することができるため、容易に各部材を梱包して運搬することができ、梱包及び運搬の作業効率を向上させることができ、さらに、前記中央連結材６を核として上下に分離された側板４及び背板５を固定することができるため、当該収納家具１の組立て後の強度をも確保することができる。
【００３９】
次に、第二実施例として、書物を収納する書棚型の収納家具１１を説明する。具体的な構成において、底板１２、天板１３、側板１４、背板１５、中央連結材１６、幕板１７及び側板連結材１８及びネジＸの構成は前記第一実施例における底板２、天板３、側板４、背板５、中央連結材６、幕板７、側板連結材８及びネジＸと同様であるため説明は省略し、前記第一実施例との差異についてのみ具体的に説明する。
【００４０】
書棚型の収納家具１１は、左右夫々の側板１４の内側面に約１ｃｍ間隔でダボ穴Ｚが高さ方向に前後一対並設されており、当該ダボ穴Ｚに高さを揃えて一対のダボ（図示せず。）を挿入した後、ダボ上に棚板１９を載置することにより書棚型の収納家具１１を形成することができる。
【００４１】
当該書棚型の収納家具１１によれば、従来技術のように上下段の収納スペース間に仕切りがないため、収納スペース全体を有効に利用して棚板１９を設ける高さを自由に設定することができる上、前記第一実施例に係る収納家具１と同様に、側板１４及び背板１５を分離できるため、棚板１９を含めても分離解体による梱包及び運搬の効率向上を図ることができ、また、中央連結材１６を核として側板１４及び背板１５を取り付け固定できるため、収納家具１１の組立て後の強度確保を図ることができる。また、当該書棚型の収納家具１１は、書物の収納に限られず、棚板１９の上面に装飾物を載置して飾り棚として利用することも可能である。
【００４２】
次に、第三実施例として、前記第二実施例に係る収納家具１１の収納スペースを高さ方向に仕切る仕切板２０を設けた書棚型の収納家具１１について説明する。
【００４３】
当該書棚型の収納家具１１は、前記第二実施例の収納家具１１と基本的な構成は同様であり、その差異である仕切板２０及び中央連結材１６の構成についてのみ説明する。
【００４４】
仕切板２０は、上仕切板部材２０ａと下仕切板部材２０ｂとから構成され、分離可能に仕切板連結材２１を介して連結して構成されている。当該仕切板２０は、幅広の収納スペースを有する書棚型の収納家具１１において、当該収納スペースを左右に分割するものであり、書物をカテゴライズして収納する際等に利用する。したがって、仕切板２０の両面には、夫々側板１４に設けた複数のダボ穴Ｚに対向する位置に同じくダボ穴Ｚが形成され、分割された収納スペース夫々に棚板１９を設置可能としている。また、仕切板連結材２１は、本実施例では前記側板連結材８，１８と同様に所謂カムロックを用いて連結し固定しているので説明は省略するが、当該カムロックに限られず、上仕切板部材２０ａ及び下仕切板部材２０ｂを連結し固定できればどのようなものであってもよい。なお、前記棚板１９及び当該仕切板２０も、分離解体した状態で運搬容易にするため、木製、合成樹脂製又は金属製で板状に形成されている。
【００４５】
前記背板１５は、仕切板２０を介して幅方向で分割されている。当該左右に分割された背板１５は、図示しないが、仕切板２０の後方に設けられた溝部に嵌合することにより、仕切板２０のダボ穴Ｚが設けられた面と鉛直方向に固定されている。このように、当該収納家具１１が幅方向に長くなった場合であっても、背板５を幅方向に分割することにより梱包及び運搬に支障は出ず、収納家具１１の梱包及び運搬作業を容易とし、その作業効率性を向上させることができる。
【００４６】
図７は、当該仕切板２０及び中央連結材１６を抽出して示す拡大斜視図である。上仕切板部材２０ａの下端後方及び下仕切板部材２０ｂの上端後方には、中央連結材１６の高さ方向の幅に応じて形成された切欠きが嵌合部２０ｃとして設けられている。上仕切板部材２０ａ及び下仕切板部材２０ｂを仕切板連結材２１により連結し固定した後、当該嵌合部２０ｃに中央連結材１６を嵌め込んで取り付ける。そして、中央連結材１６の後方から仕切板２０へ貫通するようにしてネジＸにより固定する。
【００４７】
このように、当該実施例の仕切板２０を設けた収納家具１１によれば、図６に示す側方からのネジＸによる固定のほか、図７に示すように後方から仕切板２０へのネジＸによる固定も可能であり、側方及び後方からのネジＸの固定により、収納家具１１自体の強度と安定性をさらに向上させることができる。なお、当該後方からのネジＸによる固定も、ネジＸに限られず、その他着脱可能に固定できればどのようなものであってもよい。
【００４８】
また、本実施例では、収納スペースの幅方向を仕切板２０により二分割したが、三分割、四分割等の多分割することも可能であり、収納物のサイズや種類等に応じて分割すればよく、また、書棚型の収納家具１１自体の幅方向のサイズが広い場合等にも自由に多分割してよい。
【００４９】
さらに、本実施例のような幅方向のサイズが広い収納家具１１において、前記底板２、天板３又は中央連結材６は、前記第一実施例等で示した収納家具１に対して比較的丈長になるため、特に図示はしないが、連結材等を用いて長手方向を分離可能に連結してもよく、当該底板２、天板３又は中央連結材６を二分割、三分割等の多分割可能にすることにより、梱包及び運搬を容易とし作業効率を向上させることができる。
【００５０】
次に、第四実施例の収納家具１について説明する。本実施例の収納家具１は、基本的な構成において第一実施例に係るロッカー型の収納家具１と同様であり、以下にその差異とする構成について説明する。
【００５１】
図８は、収納家具１に扉１０１を取り付けた状態を示す外観斜視図である。本実施例における収納家具１には、収納スペースの前面に扉１０１が開閉可能に取り付けられている。なお、図示において、扉１０１は、観音開き状に一対形成され、その図中右側を破線で表示したが、左右の両扉１０１は、左右対称に形成されるため、実線で示した左側の扉１０１についてのみ説明する。当該扉１０１は、前記側板４、１４及び背板５、１５と同様に、上下に複数分離して形成されており、上扉部材１０１ａと下扉部材１０１ｂを扉連結材１０２を介して分離可能に連結して形成されている。また、左側の上扉部材１０１ａ及び左側の下扉部材１０１ｂは、夫々その上下両端で左上側板部材４１ａ及び左下側板部材４２ｂの前面側端部に蝶番等の回転部材Ａを介して回転自在に設けられており、当該収納家具１の収納スペースを左右から観音開き状に開閉可能に形成されている。なお、当該扉１０１も、分離解体した状態で運搬容易にするため、木製、合成樹脂製又は金属製で板状に形成されている。
【００５２】
このように、扉１０１を設けた収納家具１であっても、比較的丈長である扉１０１を分離解体可能とすることにより、他部材と同一梱包が可能となり、梱包及び運搬の効率性が向上する。なお、本実施例では観音開き状の扉１０１を設けたが、収納スペースの前面全体を覆う板状の扉１０１を左右どちらか一方の側板４の前面側端部に回転自在に取り付けた一枚扉１０１としてもよく、当該扉１０１も同様に扉連結材１０２により分離可能に連結されることにより、梱包及び運搬の効率性を向上させることができる。
【００５３】
図９は、前記各実施例における種々の中央連結材６を示す図である。前記各実施例においては、板状に形成された中央連結材６を用いて収納家具１を構築したが、図９（ａ）乃至（ｃ）で例示するような中央連結材６を用いてもよい。例えば、図９（ａ）に示すように、当該中央連結材６は、板状の左右両側中央を切り欠いた正面視で「工」字状に形成され、左右上下の四つの端部を夫々取付領域として、右上側板取付部６ａ、右下側板取付部６ｂ、左上側板取付部６ｃ及び左下側板取付部６ｄに形成し、右上側板部材４１ａ、右下側板部材４１ｂ、左上側板部材４２ａ及び左下側板部材４２ｂを側方からネジＸにより取り付け固定するとともに、上辺及び下辺の上端面及び下端面の長手方向に設けた断面視凹状の溝部６ｅ、６ｆにおいて、夫々上背板部材５ａ及び下背板部材５ｂを嵌合して固定することができる。また、特に図示はしないが、中央連結材６を正面視で「Ｈ」字状に形成し、その両側端で側板４を取り付け固定するとともに、「Ｈ」字状の左右の上端面及び下端面に夫々溝部を設けて上背板部材５ａ及び下背板部材５ｂを嵌合して取り付け固定することもできる。なお、当該中央連結材６のように、板状を切り欠いた空隙部を外部から被覆すべく化粧板等を用いてもよい。
【００５４】
また、図１０に示すように、板状の中央部を切り欠いた正面視で「ロ」字状に形成された中央連結材６としてもよく、また、図１１に示すように、正面視「ロ」字状で対角線上に「Ｘ」字状の筋かいを設けた中央連結材６としてもよい。このように形成した当該中央連結材６でも、左右の側端部を右上側板取付部６ａ、右下側板取付部６ｂ、左上側板取付部６ｃ及び左下側板取付部６ｄとして左右の側板４をネジＸにより取り付け固定でき、また、上辺及び下辺の上端面及び下端面に長手方向に設けた溝部６ｅ、６ｆにより上背板部材５ａ及び下側板部材５ｂを嵌合して固定することができる。
【００５５】
このように、前記中央連結材６は、その強度又は美観的な観点から前記第一乃至四実施例のように板状に形成するのが好ましいものの、その両側端の上方及び下方により前記右上側板部材４１ａ、右下側板部材４１ｂ、左上側板部材４２ａ及び左下側板部材４２ｂを取り付け固定でき、かつ、その上下の端部により上背板部材５ａ及び下背板部材５ｂを取り付け固定できれば、その形状は何ら限られるものではない。また、このような中央連結材６の形状は、第二実施例又は第三実施例に係る書棚型の収納家具１１の中央連結材１６においても同様である。
【００５６】
また、前記側板４、１４、背板５、１５、仕切板２０及び扉１０１は、前記実施例では上下に二分割して形成されていたが、前記収納家具１、１１の高さに応じて、上下に三分割、四分割又は多分割して形成することも可能であり、各分割された部材間を夫々側板連結材８、中央連結材６、仕切板連結材２１及び扉連結材１０２により連結可能で、分割箇所における各中央連結材６を核としてその上下左右の右上側板部材４１ａ、右下側板部材４１ｂ、左上側板部材４２ａ、左下側板部材４２ｂ、上背板部材５ａ及び下背板部材５ｂを前記各実施例の中央連結材６と同様に取り付け固定できればよい。このように、各部材を三分割以上でより小さく分割することにより、さらに梱包及び運搬を容易にすることも可能である。
【００５７】
さらに、上記第一乃至第四実施例に記載の収納家具１、１１において、以下のように上記背板５、１５を設けない収納家具１、１１とすることも可能である。
【００５８】
具体的には、図１２に示すように、図１で示した収納家具１から背板５を取り除いた状態のロッカー型の収納家具１としてもよい。この際、板状に形成された中央連結材６は（図２を参照。）、その右側端面の上方領域を右上側板取付部６ａとして前記右上側板部材４１ａを取り付け、また、右側端面の下方領域を右下側板取付部６ｂとして右下側板部材４１ｂを取り付けるとともに、中央連結材６の左側端面の上方領域を左上側板取付部６ｃとして前記左上側板部材４２ａを取り付け、また、左側端面の下方領域を左下側板取付部６ｄとして左下側板部材４２ｂを取り付けて固定する。これら側板４の取り付けは、ネジＸにより外側から側板４を介して中央連結材６まで貫通することにより固定して取り付けられるが、当該各側板４の固定はネジＸによるものに限られず、着脱可能に固定できればどのようなものであってもよい。
【００５９】
このように、前記背板５を設けないロッカー型の収納家具１においても、中央連結材６を核として右上側板部材４１ａ、右下側板部材４１ｂ、左上側板部材４２ａ及び左下側板部材４２ｂを取り付けて固定することにより十分な強度を確保することができるため、側板４を分離可能とする前記効果のほか、ロッカー型の収納家具１の収納スペースに十分にコート等の物品を収納することができる。
【００６０】
また、図１３に示すように、図５で示した収納家具１１から背板１５を取り除いた状態の書棚型の収納家具１１とすることも可能である。当該背板１５を設けない収納家具１１においても、前記中央連結材１６を核として側板１４を取り付けて固定することにより十分な強度を確保することができるため、側板１４を分離可能とする前記効果のほか、書棚型の収納家具１１の棚板１９で区切られた収納スペースに十分に書物等を収納することができる。
【００６１】
また、図１４に示すように、図６で示した仕切板２０を備えた収納家具１１から背板１５を取り除いた状態の書棚型の収納家具１１とすることも可能である。当該仕切板２０を設けた収納家具１１においても、中央連結材１６を核として側板１４を取り付けて固定することにより、かつ、前記仕切板２０に形成された嵌合部２０ｃに中央連結材１６を嵌合して固定することにより（図７を参照。）、十分な強度を確保することができるため、側板１４及び仕切板２０を分離可能とする前記効果のほか、仕切られた書棚型の収納家具１１の各収納スペースに十分に書物等を収納することができる。
【００６２】
さらに、特に図示はしないが、図８で示す扉１０１を取り付けたロッカー型の収納家具１においても、背板５を設けない収納家具１とすることも可能であり、前記図８で示す収納家具１と同様の効果を奏することができ、また、中央連結材６を核として十分な強度を確保することができる。
【００６３】
なお、このような背板５、１５を取り除いた状態の収納家具１、１１に係る中央連結材６においては、その上下端に背板５、１５を取り付ける必要がないため、前記実施例のような溝部６ｅ、６ｆを別段設けなくてもよく、また、板状に限られず、前記図９乃至図１１に示すような種々の中央連結材６とすることも可能である。
【００６４】
また、このように背板５、１５を設けない収納家具１、１１は、強度の確保という観点から、左右一対の側板４、１４の後方上端側又は後方下端側に、前記左右一対の側板４、１４を橋架して固定するような補強材２２を設けてもよく、また、収納家具１、１１のデザイン性又は長丈物の収納等という観点、或いは、収納家具１、１１の上部に高さ方向に上下するスライド式の棚部を追加する等という目的から、図１５に示すように、天板３を設けずに収納家具１、１１の上方を開口させ、当該天板３の代替として前記補強材２２を設けることも可能である。また、図１５に示す補強材２２は、前記図１３及び１４で示す書棚型の収納家具１１においても、天板１３の代替として設けることが可能である。当該補強材２２の取付けは、左右一対の側板４、１４の間に取り付けて、両側方からネジＸにより固定してもよく、或いは、左右一対の側板４、１４の後方端に補強材２２の高さ方向の長さに応じた切欠きを設け、当該切欠きに補強材２２を嵌め込むととともに、後方からネジＸにより固定してもよい。
【００６５】
さらに、前記各実施例において、前記中央連結材６、１６は、左右一対の側板４、１４の間に配置し、両側方からネジＸにより固定したが、図１６（ａ）及び（ｂ）に示すように、中央連結材６、１６の上端面及び下端面に溝部６ｅ及び６ｆを設けて背板５、１５を取り付けるかどうかにかかわらず、前記右上側板部材４１ａの後方側下端及び右下側板部材４１ｂの後方側上端並びに左上側板部材４２ａの後方側下端及び左下側板部材４２ｂの後方側上端を切り欠いて前記中央連結材を嵌合可能とする嵌合部４３を形成し、当該嵌合部４３に中央連結材６、１６を嵌め込むとともに、後方からネジＸにより固定して取り付けることもできる。これにより、中央連結材６、１６の取付け位置の位置決めが容易となり、作業効率を向上させることができる。なお、図１６では、右上側板部材４１ａ及び右下側板部材４１ｂに設けた嵌合部４３のみを表示したが、左上側板部材４２ａ及び左下側板部材４２ｂにおいても左右対称に表れるため、図示は省略する。
【００６６】
また、図１７に示すように、前記右上側板部材４１ａの後方側下端及び右下側板部材４１ｂの後方側上端並びに左上側板部材４２ａの後方側下端及び左下側板部材４２ｂの後方側上端の厚み方向内側のみを切り欠いて前記中央連結材６、１６を嵌合可能とする嵌合部４３を形成すれば、当該嵌合部４３に嵌め込んだ中央連結材６、１６をネジＸにより側方からでも後方からでもどちらからでも固定することができる。なお、図中では、背板５、１５の取付け用として溝部６ｅを設けたが、背板を設けない前記実施例においても同様に中央連結材６、１６を固定することができ、また、右上側板部材４１ａ及び右下側板部材４１ｂに設けた嵌合部４３のみを表示したが、左上側板部材４２ａ及び左下側板部材４２ｂにおいても左右対称に表れるため、図示は省略する。
【産業上の利用可能性】
【００６７】
上記実施例では、本発明に係る収納家具１、１１をロッカー型又は書棚型としたが、その他箱型の収納家具１、１１であれば前記構成とすることにより梱包及び運搬を容易とし、その効率性を向上させることができるとともに、収納家具１、１１の収納スペース全体を有効に利用することができる。また、中央連結材６が核となって側板４及び背板５を固定することができるため、収納家具１、１１の強度も確保することができる。
【符号の説明】
【００６８】
１、１１    収納家具
２、１２    底板
３、１３    天板
４、１４    側板
４１ａ      右上側板部材
４１ｂ      右下側板部材
４２ａ      左上側板部材
４２ｂ      左下側板部材
４３        嵌合部
５、１５    背板
５ａ        上背板部材
５ｂ        下背板部材
６、１６    中央連結材
６ａ        右上側板取付部
６ｂ        右下側板取付部
６ｃ        左上側板取付部
６ｄ        左下側板取付部
６ｅ、６ｆ  溝部
７、１７    幕板
８、１８    側板連結材
９          中板
１９          棚板
２０          仕切板
２０ａ        上仕切板部材
２０ｂ        下仕切板部材
２０ｃ        嵌合部
２１          仕切板連結材
２２          補強材
Ｗ          回転部材
Ｘ          ネジ
Ｙ          吊り棒
Ｚ          ダボ穴
【図１】
0006498155.tif 000002
【図２】
0006498155.tif 000003
【図３】
0006498155.tif 000004
【図４】
0006498155.tif 000005
【図５】
0006498155.tif 000006
【図６】
0006498155.tif 000007
【図７】
0006498155.tif 000008
【図８】
0006498155.tif 000009
【図９】
0006498155.tif 000010
【図１０】
0006498155.tif 000011
【図１１】
0006498155.tif 000012
【図１２】
0006498155.tif 000013
【図１３】
0006498155.tif 000014
【図１４】
0006498155.tif 000015
【図１５】
0006498155.tif 000016
【図１６】
0006498155.tif 000017
【図１７】
0006498155.tif 000018